【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
複数の樹脂フィルムを層状に重ね、互いに滑動可能に周縁の少なくとも一部を固着してなる樹脂フィルム層を有し、前記樹脂フィルム層を乳房に接触させて保持し、手指で前記樹脂フィルム層の上から前記乳房を押圧しながら前記手指を移動して、乳房組織の異変を触診するのに用いる乳房自己検診補助具であって、
前記乳房に接する第１層の樹脂フィルムと該第１層の樹脂フィルムに接して前記手指側に配置される第２層の樹脂フィルムとの接触面の動摩擦係数は、第１層の樹脂フィルムの乳房に接する面の動摩擦係数及び第２層の樹脂フィルムの手指側の面の動摩擦係数よりも小さく形成されてなる乳房自己検診補助具。
【請求項２】
請求項１に記載の乳房自己検診補助具において、
前記樹脂フィルムは、それぞれ一方の面の凹凸が小さく、他方の面の凹凸が前記一方の面の凹凸よりも大きく形成され、
前記第１層の樹脂フィルムと前記第２層の樹脂フィルムは、凹凸の小さい一方の面を互いに接して配置されてなることを特徴とする乳房自己検診補助具。
【請求項３】
複数の樹脂フィルムを層状に重ね、互いに滑動可能に周縁の少なくとも一部を固着してなる樹脂フィルム層を有し、前記樹脂フィルム層を乳房に接触させて保持し、手指で前記樹脂フィルム層を介して前記乳房を押圧しながら前記樹脂フィルム層を移動して、乳房組織の異変を触診するのに用いる乳房自己検診補助具であって、
前記樹脂フィルム層は、４枚の樹脂フィルムを層状に重ねて形成され、複数の手指を挿入可能に前記周縁を固着していない指挿入口を有する袋体に形成され、
前記４枚の樹脂フィルムは、それぞれ一方の面の凹凸が小さく、他方の面の凹凸が前記一方の面の凹凸よりも大きく形成され、
前記乳房に接する第１層の樹脂フィルムと該第１層の樹脂フィルムに接して前記手指側に配置される第２層の樹脂フィルムからなる第１組樹脂フィルム、及び前記第２層の樹脂フィルムに接して配置される第３層の樹脂フィルムと該第３層の樹脂フィルムに接して前記手指側に配置される第４層の樹脂フィルムからなる第２組樹脂フィルムは、それぞれ凹凸の小さい一方の面を互いに接して配置されてなる乳房自己検診補助具。
【請求項４】
請求項１乃至３のいずれか１項に記載の乳房自己検診補助具において、
前記第１層の樹脂フィルムの前記乳房に接する面は、前記乳房の皮膚の肌理に応じた凹凸が形成されてなることを特徴とする乳房自己検診補助具。
【請求項５】
請求項４に記載の乳房自己検診補助具において、
前記乳房の皮膚の肌理に応じた凹凸は、長さ１０μｍで深さ数μｍの１／２を基準に凸部の大きさが設定されていることを特徴とする乳房自己検診補助具。
【請求項６】
請求項３に記載の乳房自己検診補助具において、
前記樹脂フィルム層は、前記指挿入口から分離された小指を挿入可能な小指挿入口が形成されてなることを特徴とする乳房自己検診補助具。
【請求項７】
第１の樹脂と該第１の樹脂よりも融点が高い第２の樹脂又は第１の樹脂に高融点の微粒子を混合する第１工程と、
第１の工程で混合された混合物を溶融させる第２の工程と、
第２の工程で溶融された溶融物を仕切板により射出口から２つに分けて高圧空気とともに射出して冷却する第３工程と、
第３工程により射出される中空筒状の射出物を一対のロール間を通して空気層を挟んだ中空フィルムを形成する第４工程とを備えてなる樹脂フィルム製造方法。
【請求項８】
請求項７に記載の樹脂フィルム製造方法において、
前記第１の樹脂と前記第２の樹脂又は前記微粒子との混合比は、容積と重量から求められるそれぞれの混合物の比重の割合で、前者が６０〜９０％に対し後者が４０〜１０％であることを特徴とする樹脂フィルム製造方法。
【請求項９】
請求項７又は８に記載の樹脂フィルム製造方法において、
前記第１の樹脂はポリプロピレンであることを特徴とする樹脂フィルム製造方法。
【手続補正２】
【補正対象書類名】明細書
【補正対象項目名】０００８
【補正方法】変更
【補正の内容】
【０００８】
上記の課題を解決するため、本発明の乳房自己検診補助具の第１の態様は、複数の樹脂フィルムを層状に重ね、互いに滑動可能に周縁の少なくとも一部を固着してなる樹脂フィルム層を有し、樹脂フィルム層を乳房に接触させて保持し、手指で樹脂フィルム層を介して前記乳房を押圧しながら前記手指を移動して、乳房組織の異変を触診するのに用いる乳房自己検診補助具である。特に、乳房に接する第１層の樹脂フィルムと該第１層の樹脂フィルムに接して手指側に配置される第２層の樹脂フィルムとの接触面の動摩擦係数は、第１層の樹脂フィルムの乳房に接する面の動摩擦係数及び第２層の樹脂フィルムの手指側の面の動摩擦係数よりも小さく形成されてなることを特徴とする。
【手続補正３】
【補正対象書類名】明細書
【補正対象項目名】００１０
【補正方法】変更
【補正の内容】
【００１０】
本発明の乳房自己検診補助具の第２の態様としては、樹脂フィルム層を４枚の樹脂フィルムを層状に重ねて形成し、複数の手指を挿入可能に周縁を固着していない指挿入口を有する袋体に形成する。また、４枚の樹脂フィルムは、それぞれ一方の面の凹凸が小さく、他方の面の凹凸が前記一方の面の凹凸よりも大きく形成する。乳房に接する第１層の樹脂フィルムと該第１層の樹脂フィルムに接して手指側に配置される第２層の樹脂フィルムからなる第１組樹脂フィルム、及び第２層の樹脂フィルムに接して配置される第３層の樹脂フィルムと該第３層の樹脂フィルムに接して手指側に配置される第４層の樹脂フィルムからなる第２組樹脂フィルムは、それぞれ凹凸の小さい一方の面を互いに接して配置されてなることを特徴とする。
【手続補正４】
【補正対象書類名】明細書
【補正対象項目名】００２４
【補正方法】変更
【補正の内容】
【００２４】
このような特性を有する２枚重ね樹脂フィルム６ａ，６ｂ（又は６ｃ、６ｄ）を製造する本発明の方法について、図３を参照して説明する。図３に示すように、先ず、第１の樹脂１１と、第１の樹脂１１よりも融点（溶融する温度）が高い第２の樹脂１２（又は、樹脂材料以外の高融点の微粒子）を混合する（第１工程）。第１の工程で混合された混合物を溶解炉で加熱溶融して溶融物１３を生成する（第２の工程）。この溶融物１３を、図３(ｂ)の詳細図に示すように、仕切板１５ａにより２つに分けられたノズル１４の射出口１６から高圧空気とともに射出する（第３工程）。射出口１６から射出された溶融物１３は、内部に空気層を有する中空筒状体１７になる。この中空筒状体１７の外表面を形成する樹脂フィルム１８ａ，ｂは、周囲空気で一気に冷却される。この中空筒状体１８ａ，ｂを一対のロール１９ａ、ｂ間を通し、ロール２０ａを介して巻取リール２０ｂに巻き取る（第４工程）。これにより、空気層を挟んだ２枚／１組の樹脂フィルム６ａ，６ｂ（又は６ｃ、６ｄ）からなるシートを形成することができる。
【手続補正５】
【補正対象書類名】明細書
【補正対象項目名】００２５
【補正方法】変更
【補正の内容】
【００２５】
このとき、中空筒状体１７の樹脂フィルム１８ａ，ｂの外面側には、融点の高い第２の樹脂１２（又は、高融点の微粒子）により凹凸が形成される。一方、中空筒状体１７の内面側は冷却が緩慢なため、また仕切板１５ａにより高融点の第２の樹脂１２（又は、高融点の微粒子）が溶融されているため、外面側に比較して小さい凹凸が形成される。言い換えれば、中空筒状体１７の外側は、射出後一気に冷やされることで、本来の溶融点の差に伴う凹凸となるが、内側は仕切板１５ａで例えば加熱されて射出されると、外側に比較して小さい凹凸あるいは滑らかな凹凸が形成され、２枚／１組の樹脂フィルム６ａ，６ｂ（又は６ｃ、６ｄ）の内面の動摩擦係数が下がり、滑りやすくさせることができる。つまり、中空筒状体１７の外表面側には、融点が高い混合比率の少ない第２の樹脂材料が粒状に点在し、それをシート状にした場合、ランダムに凹凸が形成されて半透明状態となる。
【手続補正６】
【補正対象書類名】明細書
【補正対象項目名】００２６
【補正方法】変更
【補正の内容】
【００２６】
ここで、仕切板１５ａを加熱することに代えて、冷却することによっても、中空筒状体１７の樹脂フィルム１８ａ，ｂの内面と外面に形成される凹凸の大きさを調整することができる。要は、仕切板１５ａを加熱又は冷却して、射出口から射出される射出物である樹脂フィルムの厚み方向に温度差を形成することにより、中空筒状体１７の樹脂フィルム１８ａ，ｂの内面と外面に形成される凹凸の大きさを調整することができる。したがって、仕切板１５ａに代えて、図３（ｃ）に示すように、ノズル１４の射出口１６よりも外側に表面が滑らかな平板状の仕切板１５ｂを設けても、同様に、樹脂フィルム１８ａ，ｂの内面と外面に形成される凹凸の大きさを調整することができる。
【手続補正７】
【補正対象書類名】明細書
【補正対象項目名】００２７
【補正方法】変更
【補正の内容】
【００２７】
いずれのノズル１４を用いても、また仕切板１５ａ，１５ｂの加熱又は冷却を選択した場合においても、樹脂フィルム１８ａ，ｂの内面と外面に形成される凹凸の大きさが異なる。したがって、そのように形成された２枚１組の樹脂フィルム１８ａ，ｂの内面と外面に形成される凹凸の大きさに応じて、袋体４を形成する際に、製造された樹脂フィルム１８ａ，ｂの凹凸面に応じて、次に述べるように、樹脂フィルム６ａ〜６ｄに用いる。
【手続補正８】
【補正対象書類名】明細書
【補正対象項目名】００２９
【補正方法】変更
【補正の内容】
【００２９】
例えば、第１の樹脂（ポリプロピレン）と第２の樹脂（ポリプロピレンよりも融点が高い樹脂材料）の混合比は、容積と重量から求められるそれぞれの混合物の比重の割合で、前者対後者の割合が約８：２（正確には、７８％：２２％）である。混合比は、これに限られるものではなく、前者が７０〜８５％に対し後者が３０〜１５％の範囲、更には前者が６０〜９０％に対し後者が４０〜１０％とすることができる。なお、ノズル１４内の仕切板１５ａを加熱しておくことで、中空筒状体１７の外側と内側の凹凸状態を調整することができる。
【手続補正９】
【補正対象書類名】図面
【補正対象項目名】図３
【補正方法】変更
【補正の内容】
【図３】
2016047097.tif 000001
【手続補正１０】
【補正対象書類名】図面
【補正対象項目名】図８
【補正方法】変更
【補正の内容】
【図８】
2016047097.tif 000002